(57)【要約】【課題】固定部材を隠蔽するための部材を用いず、かつ組み付が容易でありながら、確実に固定部材を隠蔽できる椅子を提供する。【解決手段】座板２と、背板３と、座板２を支持する座フレーム４と、座フレーム４の後端から立設し背板３を支持する背フレーム５とを備える。座フレーム４は、左右のサイドフレーム１０と、サイドフレーム１０間の後端において架設される後フレーム１１とを有する。背板３の下面には、背板３を背フレーム５へ配した状態において、後フレーム１１の上面と当接する固定片３４が設けられている。背板３を背フレーム５へ配したうえで、座板２を固定片３４を覆うように座フレーム４上に載置し、少なくとも座板３の後部は、固定部材４３によって後フレーム１１に固定する。固定部材４３は、座フレーム４の裏面側から固定する。【選択図】図６
2009148406.tif 000002
【特許請求の範囲】
【請求項１】
座板と、背板と、前記座板を支持する座フレームと、該座フレームの後端から立設し前記背板を支持する背フレームとを備え、
前記座フレームは、左右のサイドフレームと、該左右のサイドフレームの後端において両サイドフレーム間に架設される後フレームとを有し、
前記背板を背フレームへ配した状態において、該背板の下面には、前記座フレームの後フレームの上面と当接する固定片が設けられており、
前記背板を背フレームへ配したうえで、前記座板を前記背板の固定片を覆うように座フレーム上に載置し、前記座板が、固定部材によって少なくとも前記後フレームにおいて座フレームへ固定され、前記固定部材は前記座フレームの裏面側から固定される椅子。
【請求項２】
前記背板の固定片と前記座フレームの後フレームとが、前記座板と後フレームとを固定する固定部材とは異なる固定部材によって固定されている請求項１に記載の椅子。
【請求項３】
前記固定片を後フレームへ固定する固定部材が、前記固定片の上方から固定される請求項２に記載の椅子。
【請求項４】
前記背板の上端には後方へ突出するフランジが形成されており、該フランジの下面には下方へ突出する突起が設けられており、
前記背フレームの上面には嵌合孔が穿設されており、
前記背板を背フレームへ配したとき、前記背板のフランジが背フレームの上面に当接し、前記フランジの突起が背フレームの嵌合孔と嵌合している請求項１ないし請求項３のいずれかに記載の椅子。
【請求項５】
前記座フレームの後フレームにおける前記背板の固定片と当接する部位には、前記固定片が収まる凹部が凹み形成されている請求項１ないし請求項４のいずれかに記載の椅子。
【発明の詳細な説明】
【技術分野】
【０００１】
本発明は、通常の使用状態においてフレームと座板及び背板との固定部材が外部から視認されない椅子に関する。
【背景技術】
【０００２】
基本的に椅子は、大きく分けてフレームと座版と背板とからなり、座版及び背板はフレームにビスなどの固定部材によって固定される。椅子の通常使用状態において、各部材を固定する固定部材が外部から視認されると、外観体裁が悪く意匠的に好ましくない。一般的に、座板はこれの裏側から固定部材によってフレームに固定される。したがって、座板を固定する固定部材は椅子の下面に位置しており、これが通常使用状態において外部から視認されることはない。しかし、背板を単にこれの裏面からフレームへ固定しても、背板を固定する固定部材は椅子の背面に位置している。したがって、背板を固定する固定部材は通常使用状態において容易に視認できる。そこで、背板を固定する固定部材を外部から視認できないようにするには、特別な機構が必要となる。背板を固定するための固定部材を外部から視認できないようにした椅子としては、例えば特許文献１ないし特許文献３がある。特許文献１及び特許文献２では、背フレームと背板とを固定するビスをカバー部材によって覆うことでビスを隠蔽している。特許文献３では、背フレームに対してビスを斜め下方から固定している。
【０００３】
【特許文献１】特開２００６−１３６５７２号公報（段落００４３、図３、図６）
【特許文献２】特開２００４−１５９７１２号公報（段落００２１、図４）
【特許文献３】特開２０００−１３５１４２号公報（段落００２２、図１）
【発明の開示】
【発明が解決しようとする課題】
【０００４】
しかし、特許文献１や特許文献２の椅子では、ビスを隠蔽するためのカバー部材を別途設けているので部品点数が多く、かつ組み付け作業も煩雑であり、コスト高にも繋がる。これに対し特許文献３の椅子では、ビスを背フレームに対して斜め下方から螺込んでいるので、水平方向や斜め上方からはビスを視認できない。しかし、大人がしゃがんだりした場合などのほか、背の低い子供にあってはそのままでも視点が下がるので、確実にビスを隠せているにまでは至らない。
【０００５】
そこで本発明の目的は、わざわざ固定部材を隠蔽するための部材を用いず、かつ組み付が容易でありながら、確実に固定部材を隠蔽できる椅子を提供することにある。
【課題を解決するための手段】
【０００６】
本発明の椅子は、座板と、背板と、前記座板を支持する座フレームと、該座フレームの後端から立設し前記背板を支持する背フレームとを備える。前記座フレームは、左右のサイドフレームと、該左右のサイドフレームの後端において両サイドフレーム間に架設される後フレームとを有する。前記背板を背フレームへ配した状態において、該背板の下面には、前記座フレームの後フレームの上面と当接する固定片が設けられている。そして、前記背板を背フレームへ配したうえで、前記座板を前記背板の固定片を覆うように座フレーム上に載置し、前記座板は、固定部材によって少なくとも前記後フレームにおいて座フレームへ固定する。前記固定部材は、前記座フレームの裏面側から固定される。
【０００７】
このとき、背板の固定片は後フレームと固定される座板が被せられるので、当該背板の固定片は必ずしも後フレームに固定されている必要はない。なお、座板及び背板とは、着座者の身体を受け止め支持し得る部材であれば特に限定されず、単に一枚板からなるものの他、基板にクッション材などが接合されたような部材なども含まれる。また、固定部材とは、座板や背板をフレームへ固定できる部材であれば特に限定されず、代表的にはビスやボルトが相当するが、ピン部材やクリップ部材などでもよい。
【０００８】
前記背板の固定片と前記座フレームの後フレームとは、前記座板と後フレームとを固定する固定部材とは異なる固定部材によって固定しておくことが好ましい。この場合、背板の固定片を後フレームへ固定する固定部材は、後フレームの裏面から固定してもよいが、前記固定片の上方から固定するとよい。座板を固定する固定部材と背板を固定する固定部材とは、同じでなくともよい。
【０００９】
前記背板の上端には後方へ突出するフランジが形成されており、該フランジの下面には下方へ突出する突起が設けられている。一方、前記背フレームの上面には嵌合孔が穿設されている。そして、前記背板を背フレームへ配したとき、前記背板のフランジが背フレームの上面に当接し、前記フランジの突起が背フレームの嵌合孔と嵌合している。
【００１０】
また、前記座フレームの後フレームにおける前記背板の固定片と当接する部位には、前記固定片が収まる凹部を凹み形成しておくことが好ましい。
【発明の効果】
【００１１】
本発明によれば、背板を背フレームへ配したとき、固定片が座フレームの後フレームの上面に当接し、この状態から座板を背板の固定片を覆うように座フレーム上に載置しているので、背板が固定される固定片が座板によって隠蔽される。つまり、背板の固定箇所が確実に隠蔽されるので、どの角度からでも背板の固定片が視認されることはなく、意匠性が飛躍的に向上する。わざわざ背板の固定片を隠蔽する部材を用いていないので、部品点数が少なくコスト削減に寄与する。また、背板を背フレームに配したうえで、座板を座フレームに載置するだけで固定片を隠蔽でき、組み付け作業が極めて容易である。
【００１２】
また、座板は、少なくとも背板の固定片と重なる後フレームにおいて座フレームと固定されているので、仮に背板の固定片を後フレームに固定していなくても、当該固定片は座板と後フレームとによって挟持されており、背板を保持することができる。当然、座板を後フレームへ固定する固定部材は、後フレームの裏面から固定されるので、これが椅子の通常使用状態において外部から視認されることはない。
【００１３】
背板の固定片も、専用の固定部材によって後フレームへ固定しておけば、背板を確り固定できる。この場合、固定部材を固定片の上方から固定しても、この固定部材も座板で隠蔽されるので、意匠性に問題はない。また、背板も独自に後フレームへ固定していれば、必ずしも背板の固定片を座板と後フレームとによって挟持する必要がなく、座板の設計自由度が高まる。また、背板を固定する固定部材を固定片の上方から固定していれば、組み付け作業時に椅子を裏返したり、屈みながら固定する必要がないので、固定作業を楽に行える。
【００１４】
背板が固定片のみで固定されているだけでは、背板の下部は固定されるが、背板の上部はガタツクおそれがある。そこで、背板を背フレームへ配したとき、フランジの突起が背フレームの嵌合孔と嵌合していれば、背板の上部は背フレームに固定されるので、背板がガタツクことがない。また、背板の固定片は上下方向に固定力が作用する。これに対し突起も嵌合孔の上方から嵌合するので、固定片と突起との固定方向が同じ方向となり、背板が背フレームから不用意に脱落することが確実に避けられる。
【００１５】
背板の固定片が後フレームの凹部に収まっていれば、背板の左右方向でのガタツキも抑えられる。
【発明を実施するための最良の形態】
【００１６】
（実施例１）
以下、適宜図面を参照しながら本発明の実施例について説明するが、これに限られることはなく、本発明の要旨を逸脱しない範囲で種々変形が可能である。図１に、椅子本体１の分解斜視図を示す。図２に、背板３を背フレーム５へ配す状態の要部拡大図後方斜視図を示す。図３に、背板３を背フレーム５へ固定した状態の前方斜視図を示す。図４に、座板２を座フレーム４へ配す状態の要部拡大図を示す。図５に、椅子本体１の縦断側面図を示す。図６に、椅子本体１の前方斜視図を示す。図７に、椅子本体１の後方斜視図を示す。
【００１７】
図１において椅子本体１は、着座者の臀部を支持する座板２と、着座者の背中を支持する背板３と、座板２を支持する座フレーム４と、背板３を支持する背フレーム５と、左右両側方においてそれぞれ前後一対設けられた４本の脚６とを備える。座フレーム４は、前後方向に配される左右のサイド座フレーム１０・１０と、左右のサイド座フレーム１０・１０の後端において両サイド座フレーム１０・１０間に左右方向に架設される後フレーム１１と、左右のサイド座フレーム１０・１０の前端において両サイド座フレーム１０・１０間に左右方向に架設される前フレーム１２とからなり、中央部が大きく開口した四角枠を呈する。座フレーム４の前方側は、着座者の太腿からの大きな荷重が作用する場合があるので、座板２の前方部を安定して支持し得るよう、前フレーム１２は、サイド座フレーム１０や後フレーム１１よりも幅広に形成されている。また後述のように、後フレーム１１は座板２と共に背板３も固定される部位なので、サイド座フレーム１０よりも幅広に設計されている。後フレーム１１の上面左右中央部には、凹部１３が下方へ凹み形成されている。
【００１８】
背フレーム５は、座フレーム４の左右のサイド座フレーム１０・１０の後端から立設する左右のサイド背フレーム１５・１５と、左右のサイド背フレーム１５・１５の上端において両サイド背フレーム１５・１５の間に左右方向に架設される上フレーム１６とからなり、座フレーム４の後フレーム１１とによって中央部が大きく開口した四角枠を呈する。左右両サイド背フレーム１５・１５は、着座者を快適な着座姿勢で支持し得るよう、着座者の腰にあたる部位が前方へ湾曲し、上部が後方へ傾斜した流線形に形成されている。また、左右両サイド背フレーム１５・１５の上面には、嵌合孔１７が穿設されている。
【００１９】
座フレーム４、背フレーム５、及び脚６はそれぞれ木製であり、右側方及び左側方において前後一対の脚６・６とサイド座フレーム１０とサイド背フレーム１５とは、それぞれ一体に形成されている。座フレーム４の前フレーム１２及び後フレーム１１は、サイド座フレーム１０・１０に嵌合接着されており、背フレーム５の上フレーム１６もサイド背フレーム１５・１５に嵌合接着されている。
【００２０】
座板２は、略四角形状の外枠２０の中央開口部に、メッシュ２１が全面的に張設された構成となっており、座フレーム４の外径寸法（面積）と同等に設計されている。座板２の中央部がメッシュ２１となっていることで、良好な通気性と共に適度な柔軟性を有し、座り心地の向上が図られている。外枠２０の中央開口の前方側は、着座者の太腿からの大きな荷重に耐え得るよう、メッシュ２１が上下に二層張設されている（図５参照）。外枠２０は、少なくとも着座者の荷重に耐え得る剛性を有するものであれば特に限定されることはないが、本実施例ではナイロンにガラスビーズが添加された合成樹脂製とした。メッシュ２１もナイロン製である。座板２の裏面前方、すなわち外枠２０の下面前方には、座板２を座フレーム４上に載置したときに前フレーム１２の上面と当接する当接片２２が、左右に亘って水平方向に一体形成されており、当接片２２の後端左右中央部には、ストッパー２３が一体形成されている。また、外枠２０の下面には、中央開口を囲むようにリブ２４が一体形成されている（図５参照）。
【００２１】
背板３も、座板２と同様に略四角形状の外枠３０の中央開口部に、メッシュ３１が全面的に張設された構成となっており、背フレーム５の外径寸法（面積）と同等に設計されている。外枠３０もナイロンにガラスビーズが添加された合成樹脂製であり、メッシュ３１もナイロン製である。メッシュ３１により通気性と柔軟性が確保されている点も、座板２と同じである。背板３（外枠３０）の上端には、後方へ突出するフランジ３２が背板３の左右両端に亘って一体形成されており、フランジ３２の左右両側部下面には、下方へ突出する突起３３・３３が一体形成されている（図２も参照）。また、背板３の下面左右中央部には、当該背板３を固定するための固定片３４が一体成形されている。固定片３４は、外枠３０の下面から下方へ突出する連結部３５の下端から、前方へ略水平に延在している。また、背板３すなわち外枠３０の後方下端からは、外枠３０の裏面から所定量後方へ膨出しながら下方へ延在する遮蔽片３６が、左右に亘って一体形成されている（図７も参照）。したがって、固定片３４の連結部３５と遮蔽片３６との間には所定寸法の隙間が形成されている（図５参照）。また図２によく示されるように、外枠３０の左右両側方裏面には、上下方向のリブ３７・３７が一体形成されている。なお、背板３は背フレーム５の形状に沿う流線形状に形成されている。
【００２２】
次に、椅子本体１の組み立て手順、すなわち座板２及び背板３を座フレーム４及び背フレーム５へ組み付け固定する手順について説明する。まず、図２に示すごとく背フレーム５の両サイド背フレーム１５・１５の内面に背板３のリブ３７・３７を摺動させながら背板３を背フレーム５の上方から滑らせるようにして配し、背板３のフランジ３２を背フレーム５の上面へ被せ、フランジ３２の突起３３・３３を背フレーム５の嵌合孔１７・１７と嵌合させる。すると、図３に示すごとく背板３の固定片３４が、座フレーム４の後フレーム１１の凹部１３に収まった状態で、後フレーム１１の上面に当接する。このとき、固定片３４の上面と後フレーム１１の上面とは、略面一ないし固定片３４の上面が後フレーム１１の上面より若干下がった状態となっている。この状態において、固定片３４及び凹部１３の左右両側方同じ位置に穿設された背板３固定用のビス孔４１・４１内に、それぞれビス（固定部材）４０・４０を固定片３４の上方から螺込んで、固定片３４と後フレーム１１とを固定する。これにより背板３は、突起３３と固定片３４とによって上下方向で確り固定される。このとき、図６及び図７によく示されるように、背板３と背フレーム５とは同様の流線形に形成されていることで、背板３の裏面と背フレーム５の前面とは的確に接触している。また、フランジ３２の後端縁と背フレーム５の上フレーム１６の後面とは面一となっていると共に、背板３の左右側面と背フレーム５のサイド背フレーム１５・１５の左右外側面とも面一となっている。さらに、背板３の遮蔽片３６は後フレーム１１の後面下端にまで達しており、後フレーム１１は遮蔽片３６によって遮蔽されている。このように各部位が設計されていることで、背板３と背フレーム５とが良好に一体化したように見え、意匠性の向上が図られている。
【００２３】
上記のように背板３を背フレーム５へ固定できたら、次いで図６に示すように、座板２を背板３の固定片３４を覆うように座フレーム４上に載置する。これにより、背板３の固定片３４とこれを固定するビス４０が座板２によって隠蔽されるので、これらが外部から視認されることが確実に回避される（図７も参照）。座板２を座フレーム４へ載置するとき、図４に示すように、座板２の後端左右両側方に形成された凹部２５とこれに望む位置に突出形成された背板３の突片３８とを嵌合させように載置することで、位置決めが容易となる。図５に示されるように、座板２を座フレーム４へ載置したとき、リブ２４は座フレーム４の中央開口内に収まっており、当接片２２の裏面が前フレーム１２の上面に当接している。また、図６によく示されるように、座板２の左右側面は、座フレーム４のサイド座フレーム１０の左右両外面と面一となっており、座板２の前方部は下方へ湾曲している。さらに、座板２の上面後縁と背板３の前面下縁とは同じ曲率半径のカーブ形状に形成されており、座板２を座フレーム４に載置したとき、座板２と背板３とが連続一体化しているような外観を呈する。この状態において、図１に示されるように、後フレーム１１の左右両側方に穿設された背板３固定用のビス孔４２・４２と、当該ビス孔４２・４２にそれぞれ望む位置に設けられた座板２のビス留め用ボス２８・２８とに、後フレーム１１の裏面からビス４３を螺込んで、座板２の後部を後フレーム１１へ固定する。なお、座板２の外枠２０の後方裏面、すなわち後フレーム１１の上方を覆う面は、ビス留め用ボス２８以外の部分は略フラットに形成されている。一方、座板２の当接片２２及び座フレーム４の前フレーム１２の左右両側方同じ位置に穿設された座板２固定用のビス孔４４・４４内に、それぞれビス４３・４３を前フレーム１２の裏面から螺込んで、当接片２２のビス留め用ボス２６・２６と前フレーム１２とを固定する。これにより、座板２の前方側も固定される。
【００２４】
このように、本実施例の椅子１によれば、背板３を背フレーム５へ配して座フレーム４に固定し、次いで座板２を座フレーム４へ固定するだけで確実に背板３の固定片３４及びビス４０を確実に隠蔽できるので、組み付け作業が容易であり、かつ部品点数を抑えながら意匠性が飛躍的に向上する。
【００２５】
（実施例２）
図８に、本発明の実施例２に係る椅子本体１において、固定片３４を中心とした要部拡大断面図を示す。本実施例２は実施例１の変形例である。先の実施例１では固定片３４を、専用のビス４０で座板２と別個に固定していたが、固定片３４は必ずしも後フレーム１１へ固定する必要はない。具体的には、図８に示すように実施例２では、座板２の裏面の、背板３の固定片３４に臨む部分に押圧部２９を下方に膨出形成している。これにより、座板２を座フレーム４上へ載置したとき、押圧部２９がちょうど固定片３４の上面に当接するように形成されている。そして、座板２を左右側方のビス孔４２・４２において座フレーム４の後フレーム１１に固定すると、ビス４３の締結力によって座板２の押圧部２９が固定片３４を押圧するように密接する。これにより、固定片３４は確り固定されるので、背板３が背フレーム５から外れることもない。また、座板２を後フレーム１１へ固定するだけで必然的に背板３も固定されるので、背板３固定用のビスを用意する必要がなく、かつ組み付け作業も簡素化できる。したがって実施例２では、実施例１における固定片３４固定用のビス孔４１は不要である。その他は実施例１と同様なので、同じ部材に同じ符号を付してその説明を省略する。
【００２６】
（実施例３）
図９に、本発明の実施例３に係る椅子本体１において、固定片３４を中心とした要部拡大断面図を示す。本実施例３は、さらに実施例２の変形例である。先の実施例２では、座板２を左右側方のビス孔４２・４２において後フレーム１１に固定したときの締結力を利用して、押圧部２９で固定片３４を固定していたが、押圧部２９部分において座板２を固定することもできる。具体的には、図９に示すように実施例３では、座板２の後方左右両側方にはビス孔（実施例１や実施例２におけるビス孔４２に相当する孔）を設けておらず、代わりに、座板２の後方左右中央部の押圧部２９に座板２固定用のビス孔４６穿設している。そして、座板２を座フレーム４上へ載置し、押圧部２９の後方裏面を固定片３４に当接させた状態で、後フレーム１１及び固定片３４のビス孔４１と押圧部２９のビス孔４６に、ビス４３を後フレーム１１の下方から螺込むことで、座板２及び背板３を同時に後フレーム１１へ固定できる。これにより、固定片３４は実施例１と同様に固定される。すなわち、実施例３では、ビス（固定部材）４３が、座板２と後フレーム１１との固定と、背板３と後フレーム１１との固定とを兼ねる構成となっている。詳しくは、背板３のみを固定するためのビス（固定部材）４０は使用せず、座板２固定用のビス（固定部材）４３によって座板２を後フレーム１１へ固定したとき、同時に背板３の固定片３４も後フレーム１１へ固定されるような構成となっている。このような構成となっていれば、部品点数を減らしながら座板２と背板３の双方を確実に固定できると共に、組み付け作業用が楽になる。
【００２７】
（その他の変形例）
上記実施例では、座板及び背板をナイロン製としたが、少なくとも着座者の荷重に耐え得る剛性を有するものであれば、その他の合成樹脂としてもよい。また、合成樹脂に限らず木製や金属製とすることもできる。また、必ずしもメッシュは必要でなく、一枚板としてもよい。このとき、適宜着座姿勢に合わせた形状としておくことが好ましい。また、適度な可撓性も有することが好ましい。脚やフレームも、木製に限らず合成樹脂製としたり、金属製にできる。このとき、脚、座フレーム、背フレームは、それぞれ別体でも構わない。
【００２８】
上記実施例では、座フレームを中央が開口する四角枠状としたが、座板が充分な強度を有することを前提として、座フレームの前フレームは設けていなくともよい。座板は、左右のサイド座フレーム部分において固定することもできる。背フレームも中央が開口する四角枠状としたが、背板が充分な強度を有することを前提として、上フレームを配したり、上下方向のフレームを左右中央部において立設された１本の縦フレームとしたりすることも可能である。縦フレームを１本とする場合は、当該縦フレームが適度な左右幅寸法を有することが好ましい。また、座フレーム及び背フレームを枠状とする他、座フレーム及び背フレーム自体も一枚板としていてもよい。この場合、座板及び背板の裏面のリブは設ける必要がない。
【図面の簡単な説明】
【００２９】
【図１】椅子本他の分解斜視図である。
【図２】背板を背フレームへ配す状態の要部拡大図である。
【図３】背板を背フレームへ固定した状態の前方斜視図である。
【図４】座板を座フレームへ配す状態の要部拡大図である。
【図５】椅子本体の縦断側面図である。
【図６】椅子本体の前方斜視図である。
【図７】椅子本体の後方斜視図である。
【図８】実施例２の椅子本体の要部拡大縦断側面図である。
【図９】実施例３の椅子本体の要部拡大縦断側面図である。
【符号の説明】
【００３０】
１  椅子本体
２  座板
３  背板
４  座フレーム
５  背フレーム
６  脚
１０  サイド座フレーム
１１  後フレーム
１２  前フレーム
１３  凹部
１５  サイド背フレーム
１６  上フレーム
１７  嵌合孔
２０  外枠
２１  メッシュ
２２  当接片
２９  押圧部
３０  外枠
３１  メッシュ
３２  フランジ
３３  突起
３４  固定片
３６  遮蔽片
４０  固定片固定用のビス
４１  固定片固定用のビス孔
４２  座板後方固定用のビス孔
４３  座板固定用のビス
４６  押圧部のビス孔
【図１】
2009148406.tif 000003
【図２】
2009148406.tif 000004
【図３】
2009148406.tif 000005
【図４】
2009148406.tif 000006
【図５】
2009148406.tif 000007
【図６】
2009148406.tif 000008
【図７】
2009148406.tif 000009
【図８】
2009148406.tif 000010
【図９】
2009148406.tif 000011